【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
オン駆動されることにより、第１の電源電圧に基づく電圧および第２の電源電圧に基づく電圧を、それぞれ出力する第１および第２の出力トランジスタと、
第１の入力パルス信号に基づいてオン駆動されることにより、前記第１の出力トランジスタをオン駆動する駆動電圧の基となる第１の電圧と前記第２の出力トランジスタをオフ駆動する駆動電圧の基となる第２の電圧とをそれぞれ出力する第１および第２の入力トランジスタと、
前記第１および第２の入力トランジスタの各出力端子と接続された出力端子をそれぞれ有し、第２の入力パルス信号に基づいてオン駆動されることにより、前記第１の出力トランジスタをオフ駆動する駆動電圧の基となる第３の電圧と前記第２の出力トランジスタをオン駆動する駆動電圧の基となる第４の電圧とをそれぞれ出力する第３および第４の入力トランジスタと、
前記第１の電圧の振幅を拡大して前記第１の出力トランジスタに供給する第１のブートストラップ回路と、
第３の入力パルス信号に基づき、前記第１の入力パルス信号の終端タイミングにおいて前記第１の入力トランジスタの寄生容量に起因して前記第１の電圧に生ずる電圧変化の方向と反対方向の電圧変化を生じさせる第１の電圧補償回路と
を備えたレベルシフト回路。
【請求項２】
さらに、
第４の入力パルス信号に基づき、前記第２の入力パルス信号の終端タイミングにおいて前記第４の入力トランジスタの寄生容量に起因して前記第４の電圧に生ずる電圧変化の方向と反対方向の電圧変化を生じさせる第２の電圧補償回路
を備えた
請求項１に記載のレベルシフト回路。
【請求項３】
前記第１の入力トランジスタは、第３の電源電圧に基づく電圧を、前記第１の電圧として出力し、
前記第４の入力トランジスタは、前記第３の電源電圧に基づく電圧を、前記第４の電圧として出力する
請求項１に記載のレベルシフト回路。
【請求項４】
前記第１の電圧補償回路は、
一方に前記第３の入力パルス信号が供給され、他方が前記第１および第３の入力トランジスタの各出力端子と接続された第１の電圧補償容量と、
一方が前記第１および第３の入力トランジスタの各出力端子と接続され、他方に前記第２の電源電圧が供給される第２の電圧補償容量と
を有する
請求項１に記載のレベルシフト回路。
【請求項５】
前記第１および第２の電圧補償容量はトランジスタのゲート酸化膜容量により形成された
請求項４に記載のレベルシフト回路。
【請求項６】
前記第１のブートストラップ回路は、前記第１の出力トランジスタの制御端子と出力端子との間に挿入された第１のブートストラップ容量を有する
請求項１に記載のレベルシフト回路。
【請求項７】
前記第１のブートストラップ回路は、制御端子に前記第３の電源電圧が供給され、オン状態のときに前記第１および第３の入力トランジスタの出力電圧を前記第１の出力トランジスタに供給する第１のブートストラップトランジスタをさらに有する
請求項６に記載のレベルシフト回路。
【請求項８】
さらに、
前記第１の入力パルス信号の振幅を拡大して前記第１の入力トランジスタに供給する第２のブートストラップ回路と、
前記第２の入力パルス信号の振幅を拡大して前記第４の入力トランジスタに供給する第３のブートストラップ回路と、
を備えた
請求項１に記載のレベルシフト回路。
【請求項９】
前記第２のブートストラップ回路は、
オン状態のときに前記第１の入力パルス信号を前記第１の入力トランジスタに供給する第２のブートストラップトランジスタと、
前記第１の入力トランジスタの制御端子と出力端子との間に挿入された第２のブートストラップ容量と
を有し、
前記第３のブートストラップ回路は、
オン状態のときに前記第２の入力パルス信号を前記第４の入力トランジスタに供給する第３のブートストラップトランジスタと、
前記第４の入力トランジスタの制御端子と出力端子との間に挿入された第３のブートストラップ容量と
を有する
請求項８に記載のレベルシフト回路。
【請求項１０】
前記第２および第３のブートストラップトランジスタの制御端子に前記第３の電源電圧が供給される
請求項９に記載のレベルシフト回路。
【請求項１１】
前記第２および第３のブートストラップトランジスタの制御端子に第４の電源電圧が供給される
請求項９に記載のレベルシフト回路。
【請求項１２】
さらに、
前記第１および第３の入力トランジスタの出力電圧により、前記第２および第４の入力トランジスタの各出力端子と前記第２の電源電圧の電源線との間をオンオフ制御するように構成され、オン駆動されることにより前記第２の電圧を固定する第１の電圧固定用トランジスタと、
前記第２および第４の入力トランジスタの出力電圧により、前記第１および第３の入力トランジスタの各出力端子と前記第２の電源電圧の電源線との間をオンオフ制御するように構成され、オン駆動されることにより前記第３の電圧を固定する第２の電圧固定用トランジスタと
を有する
請求項１に記載のレベルシフト回路。
【請求項１３】
前記第３の入力パルス信号の終端タイミングが、前記第１の入力パルス信号の終端タイミングと同時もしくはそれ以降である
請求項１に記載のレベルシフト回路。
【請求項１４】
前記第３の入力パルス信号は前記第１の入力パルス信号を反転し、もしくはさらに位相を遅らせることにより生成される
請求項１に記載のレベルシフト回路。
【請求項１５】
前記第１の入力トランジスタは、前記第１の入力パルス信号に基づく電圧を、前記第１の電圧として出力し、
前記第４の入力トランジスタは、前記第２の入力パルス信号に基づく電圧を、前記第４の電圧として出力する
請求項１に記載のレベルシフト回路。
【請求項１６】
ゲートに第１の入力信号に基づく信号を供給する第１の信号供給手段が接続された第１のトランジスタと、
ゲートに第２の入力信号が供給され、ドレインが前記第１のトランジスタのソースに接続され、ソースが第１の電源に接続された第２のトランジスタと、
ゲートに前記第２の入力信号に基づいた信号を供給する第２の信号供給手段が接続された第３のトランジスタと、
ゲートに前記第１の入力信号が供給され、ドレインが前記第３のトランジスタのソースに接続され、ソースが前記第１の電源に接続された第４のトランジスタと、
ドレインが第２の電源に接続され、ゲートが前記第３のトランジスタのソースの信号に基づいた信号を供給する第３の信号供給手段に接続された第５のトランジスタと、
ゲートが前記第１のトランジスタのソースに接続され、ドレインが前記第５のトランジスタのソースに接続され、ソースが前記第１の電源に接続された第６のトランジスタと、
前記第２の入力信号と同期した第３の入力信号が一方に供給され、他方が第３のトランジスタのソースに接続された第１の容量素子と、
前記第３のトランジスタのソースと前記第１の電源との間に挿入された第２の容量素子と、
前記第５のトランジスタのゲートとソースとの間に挿入された第３の容量素子と
を備え、
前記第１から第３の入力信号の振幅と同等もしくはそれ以上の振幅をもつ信号を前記第５のトランジスタのソースから出力する
レベルシフト回路。
【請求項１７】
第１および第２の入力信号が供給される第１の入力回路と、
前記第１および第２の入力信号が供給される第２の入力回路と、
前記第１の入力信号に同期した第３の入力信号が一方に供給され、他方が前記第２の入力回路の出力端子に接続された第１の容量素子と、
前記第２の入力回路の出力端子と電源との間に挿入配置された第２の容量素子と、
前記第１および第２の入力回路の出力電圧に基づいて、前記第１から第３の入力信号の振幅よりも大きな振幅の出力信号を生成する出力回路と、
を備え、
前記第２の入力信号によって前記第２の入力回路の出力に発生する振幅変化を、前記第３の入力信号と前記第１および第２の容量素子とによって補償する
レベルシフト回路。
【請求項１８】
供給された制御信号に基づいて、複数の信号線に時分割的にパルス信号を順次出力するシフトレジスタ回路と、
前記パルス信号に基づいて、前記パルス信号の電圧振幅と同等もしくはそれ以上の振幅を持つ駆動信号を複数の駆動信号線に出力するレベルシフト回路と
を備え、
前記レベルシフト回路は、
オン駆動されることにより、第１の電源電圧に基づく電圧および第２の電源電圧に基づく電圧を、それぞれ出力する第１および第２の出力トランジスタと、
第１の入力パルス信号に基づいてオン駆動されることにより、前記第１の出力トランジスタをオン駆動する駆動電圧の基となる第１の電圧と前記第２の出力トランジスタをオフ駆動する駆動電圧の基となる第２の電圧とをそれぞれ出力する第１および第２の入力トランジスタと、
前記第１および第２の入力トランジスタの各出力端子と接続された出力端子をそれぞれ有し、第２の入力パルス信号に基づいてオン駆動されることにより、前記第１の出力トランジスタをオフ駆動する駆動電圧の基となる第３の電圧と前記第２の出力トランジスタをオン駆動する駆動電圧の基となる第４の電圧とをそれぞれ出力する第３および第４の入力トランジスタと、
前記第１の電圧の振幅を拡大して前記第１の出力トランジスタに供給する第１のブートストラップ回路と、
第３の入力パルス信号に基づき、前記第１の入力パルス信号の終端タイミングにおいて前記第１の入力トランジスタの寄生容量に起因して前記第１の電圧に生ずる電圧変化の方向と反対方向の電圧変化を生じさせる第１の電圧補償回路と
を有する信号駆動回路。
【請求項１９】
表示部と、
供給された信号の振幅よりも大きな振幅をもつ制御信号を出力するレベルシフト回路を有し、前記制御信号に基づき前記表示部を駆動する表示制御部と
を備え、
前記レベルシフト回路は、
オン駆動されることにより、第１の電源電圧に基づく電圧および第２の電源電圧に基づく電圧を、それぞれ出力する第１および第２の出力トランジスタと、
第１の入力パルス信号に基づいてオン駆動されることにより、前記第１の出力トランジスタをオン駆動する駆動電圧の基となる第１の電圧と前記第２の出力トランジスタをオフ駆動する駆動電圧の基となる第２の電圧とをそれぞれ出力する第１および第２の入力トランジスタと、
前記第１および第２の入力トランジスタの各出力端子と接続された出力端子をそれぞれ有し、第２の入力パルス信号に基づいてオン駆動されることにより、前記第１の出力トランジスタをオフ駆動する駆動電圧の基となる第３の電圧と前記第２の出力トランジスタをオン駆動する駆動電圧の基となる第４の電圧とをそれぞれ出力する第３および第４の入力トランジスタと、
前記第１の電圧の振幅を拡大して前記第１の出力トランジスタに供給する第１のブートストラップ回路と、
第３の入力パルス信号に基づき、前記第１の入力パルス信号の終端タイミングにおいて前記第１の入力トランジスタの寄生容量に起因して前記第１の電圧に生ずる電圧変化の方向と反対方向の電圧変化を生じさせる第１の電圧補償回路と
を有する表示装置。
【請求項２０】
表示部と、
所定の処理を行う処理部と、
前記処理部より供給された信号の振幅よりも大きな振幅をもつ制御信号を出力するレベルシフト回路を有し、前記制御信号に基づき前記表示部を駆動する表示制御部と
を備え、
前記レベルシフト回路は、
オン駆動されることにより、第１の電源電圧に基づく電圧および第２の電源電圧に基づく電圧を、それぞれ出力する第１および第２の出力トランジスタと、
第１の入力パルス信号に基づいてオン駆動されることにより、前記第１の出力トランジスタをオン駆動する駆動電圧の基となる第１の電圧と前記第２の出力トランジスタをオフ駆動する駆動電圧の基となる第２の電圧とをそれぞれ出力する第１および第２の入力トランジスタと、
前記第１および第２の入力トランジスタの各出力端子と接続された出力端子をそれぞれ有し、第２の入力パルス信号に基づいてオン駆動されることにより、前記第１の出力トランジスタをオフ駆動する駆動電圧の基となる第３の電圧と前記第２の出力トランジスタをオン駆動する駆動電圧の基となる第４の電圧とをそれぞれ出力する第３および第４の入力トランジスタと、
前記第１の電圧の振幅を拡大して前記第１の出力トランジスタに供給する第１のブートストラップ回路と、
第３の入力パルス信号に基づき、前記第１の入力パルス信号の終端タイミングにおいて前記第１の入力トランジスタの寄生容量に起因して前記第１の電圧に生ずる電圧変化の方向と反対方向の電圧変化を生じさせる第１の電圧補償回路と
を有する電子機器。